(57)【要約】      （修正有）【課題】酸水溶液容器や塩素系水溶液容器が転倒してもこれらの水溶液が漏れる虞を防止し、かつ装置を小型にする。【解決手段】酸水溶液２２aと塩素系水溶液２３aとを水に混入させて殺菌水を製造する殺菌水製造装置において、水流を利用して生じさせた負圧によって酸水溶液容器から酸水溶液を吸い込んで水に混入させる酸水溶液混入器２６と、水流を利用して生じさせた負圧によって塩素系水溶液容器から塩素系水溶液を吸い込んで水に混入させる塩素系水溶液混入器２７と、を有し、酸水溶液混入済水溶液２４ａと、塩素系水溶液混入済水溶液２５ａと、を混合することによって、殺菌水を製造する殺菌水製造装置であって、酸水溶液容器２２及び塩素系水溶液容器２３は、負圧によって酸水溶液又は塩素系水溶液が吸い込まれる際には必要な空気を外部から取り入れることができるが、内部からの水溶液の流出は阻止する逆止弁を備えた蓋体によって密閉している。【選択図】図１
2015009234.tif 000002
【特許請求の範囲】
【請求項１】
酸水溶液と塩素系水溶液とを水に混入させて殺菌水を製造する殺菌水製造装置において、前記水の一部を流す第１の流路と、前記水の他の一部を流す第２の流路と、前記酸水溶液を貯留する酸水溶液容器と、前記塩素系水溶液を貯留する塩素系水溶液容器と、前記第１の流路に配置されて前記水の流れを利用して生じさせた負圧によって前記酸水溶液容器の酸水溶液を吸い込んで前記水に混入させる酸水溶液混入器と、前記第２の流路に配置されて前記水の流れを利用して生じさせた負圧によって前記塩素系水溶液容器の塩素系水溶液を吸い込んで前記水に混入させる塩素系水溶液混入器と、を有し、前記第１の流路において前記酸水溶液混入器によって酸水溶液が混入された酸水溶液混入済水溶液と、前記第２の流路において前記塩素系水溶液混入器によって塩素系水溶液が混入された塩素系水溶液混入済水溶液と、を混合することによって、殺菌水を製造する殺菌水製造装置であって、前記酸水溶液容器及び塩素系水溶液容器は、それぞれ前記酸水溶液混入器又は塩素系水溶液混入器によって生じた負圧によって酸水溶液又は塩素系水溶液が前記酸水溶液混入器又は塩素系水溶液混入器に吸い込まれる際には必要な空気を外部から取り入れることができるが、内部からの水溶液の流出は阻止することができる逆止弁を備えた蓋体によって密閉されているものであることを特徴とする殺菌水製造装置。
【請求項２】
前記酸水溶液容器及び塩素系水溶液容器は、上部に前記蓋体によって密閉される口部を有するとともに前記蓋体を取り付ける取付部を有し、前記蓋体は、前記口部の取り付け部に取り付ける取付部を有するとともに、内部の水溶液を外部に取り出すための取出口を備え、さらに、前記容器内部で前記取出口にその後端部が接続され、かつその先端部が容器内部の底部まで延長された第１のサイフォン管を備えたものであり、前記逆止弁は、外部から空気を取り入れる空気取入口と、前記空気取入口から流入する空気は前記容器内に流通させるが前記容器内部からの水溶液が前記空気取り入れ口を通じて外部に逆流するのを阻止する弁体と、前記弁体を通過してきた外部の空気を前記容器内に流入させる空気取出口と、前記空気取出口にその後端部が接続され、かつその先端部が容器内部の底部まで延長された第２のサイフォン管を備えたものであることを特徴とする請求項１に記載の殺菌水製造装置。
【発明の詳細な説明】
【技術分野】
【０００１】  本発明は、安全かつ安定した有効塩素濃度と水素イオン濃度（ｐＨ）を保持する殺菌水製造装置に関する。
【背景技術】
【０００２】  従来の殺菌水製造装置１００としては、例えば特許文献１に記載のものが知られている。特許文献１に記載の装置は、水（原水）（１）の一部を流す第１の流路（６）と、水（原水）（１）の他の一部を流す第２の流路（７）と、塩酸または酢酸などの酸水溶液（２１）を貯留する酸水溶液容器（タンク）（２）と、次亜塩素酸ナトリウム水溶液などの塩素系水溶液（３１）を貯留する塩素系水溶液容器（タンク）（３）と、第１の流路（６）に配置されて水の流れを利用して生じさせた負圧によって酸水溶液容器（タンク）（２）の酸水溶液（２１）を吸い込んで水に混入させる酸水溶液混入器（４１）と、第２の流路（７）に配置されて水の流れを利用して生じさせた負圧によって塩素系水溶液容器（タンク）（３）の塩素系水溶液（３１）を吸い込んで水に混入させる塩素系水溶液混入器（４２）とを有する。【０００３】  そして、第１の流路（６）において酸水溶液混入器（４１）によって酸水溶液（２１）が混入された酸水溶液混入済水溶液と、第２の流路（７）において塩素系水溶液混入器（４２）によって塩素系水溶液（３１）が混入された塩素系水溶液混入済水溶液とを混合器（５）により混合し殺菌水（８１）が生成され、殺菌水タンク（８）に貯留されるものである。
【先行技術文献】
【特許文献】
【０００４】
【特許文献１】特開２００３−３２６２７７
【発明の概要】
【発明が解決しようとする課題】
【０００５】  ところで、上述の従来の殺菌水製造装置においては、塩酸または酢酸などの水溶液及び次亜塩素酸ナトリウム水溶液は、各流路において水の流れを利用して生じた負圧により吸い込こまれ混入器に混入されるため、安定した塩素濃度とｐＨを保った殺菌水を生成するには、塩酸または酢酸などの水溶液及び次亜塩素酸ナトリウム水溶液は、各々が常に水の流れを利用して生じた負圧に比例した吸引量でなくてはならず、そのため塩酸または酢酸などの水溶液及び次亜塩素酸ナトリウム水溶液は、蓋のない塩酸または酢酸などの水溶液を貯留する酸水溶液容器（タンク）（２）及び蓋のない次亜塩素酸ナトリウム水溶液を貯留する塩素系水溶液を容器（タンク）（３）に貯留される、このためこれらの容器が傾いたり倒れたりした場合に、内部の酸水溶液または塩素系水溶液が容器から漏れる可能性を有するものであり、酸水溶液と塩素系水溶液とが混合して有毒なガスを発生させる虞れも否定できないものであった、又装置が傾き酸水溶液と塩素系水溶液とが混合する可能性を少しでも減らすため装置の重心が装置の下部になるように設計されており、生成された殺菌水（８１）を貯留するタンク（８）は装置の下部に設置され、装置を小型化するのには限界があった。【０００６】  本発明は、このような従来の構成が有していた問題を解決しようとするものであり、生成装置が転倒又は横倒しとなっても、塩素系水溶液と酸水溶液が混合し有毒なガスを発生させること無く、安定した塩素濃度とｐＨを保った殺菌水を生成出来る小型化された殺菌水生成装置を提供する。
【課題を解決するための手段】
【０００７】  上述の課題を解決するための手段は以下の通りである。
（１）酸水溶液と塩素系水溶液とを水に混入させて殺菌水を製造する殺菌水製造装置において、前記水の一部を流す第１の流路と、前記水の他の一部を流す第２の流路と、前記酸水溶液を貯留する酸水溶液容器と、前記塩素系水溶液を貯留する塩素系水溶液容器と、前記第１の流路に配置されて前記水の流れを利用して生じさせた負圧によって前記酸水溶液容器の酸水溶液を吸い込んで前記水に混入させる酸水溶液混入器と、前記第２の流路に配置されて前記水の流れを利用して生じさせた負圧によって前記塩素系水溶液容器の塩素系水溶液を吸い込んで前記水に混入させる塩素系水溶液混入器と、を有し、前記第１の流路において前記酸水溶液混入器によって酸水溶液が混入された酸水溶液混入済水溶液と、前記第２の流路において前記塩素系水溶液混入器によって塩素系水溶液が混入された塩素系水溶液混入済水溶液と、を混合することによって、殺菌水を製造する殺菌水製造装置であって、前記酸水溶液容器及び塩素系水溶液容器は、それぞれ前記酸水溶液混入器又は塩素系水溶液混入器によって生じた負圧によって酸水溶液又は塩素系水溶液が前記酸水溶液混入器又は塩素系水溶液混入器に吸い込まれる際には必要な空気を外部から取り入れることができるが、内部からの水溶液の流出は阻止することができる逆止弁を備えた蓋体によって密閉できるようになっているものであることを特徴とする殺菌水製造装置。
（２）前記酸水溶液容器及び塩素系水溶液容器は、上部に前記蓋体によって密閉される口部を有するとともに前記蓋体を取り付ける取付部を有し、前記蓋体は、前記口部の取り付け部に取り付ける取付部を有するとともに、内部の水溶液を外部に取り出すための取出口を備え、さらに、前記容器内部で前記取出口にその後端部が接続され、かつその先端部が容器内部の底部まで延長された第１のサイフォン管を備えたものであり、前記逆止弁は、外部から空気を取り入れる空気取入口と、前記空気取入口から流入する空気は前記容器内に流通させるが前記容器内部からの水溶液が前記空気取り入れ口を通じて外部に逆流するのを阻止する弁体と、前記弁体を通過してきた外部の空気を前記容器内に流入させる空気取出口と、前記空気取出口にその後端部が接続され、かつその先端部が容器内部の底部まで延長された第２のサイフォン管を備えたものであることを特徴とする（１）記載の殺菌水製造装置。
【発明の効果】
【０００８】  上述した本発明の殺菌水製造装置によれば、転倒又は横倒しとなっても、有毒なガスを発生しない安全性が高い小型殺菌水製造装置を提供出来る。
【図面の簡単な説明】
【０００９】
【図１】本発明の装置全体の液体の経路を示す図面
【図２】同塩素系水溶液容器と酸水溶液容器の全体図面
【図３】同塩素系水溶液容器と酸水溶液容器に取り付けられた、サイフォンチューブと空気穴に逆止弁が付いた蓋の図面
【図４】従来の除菌水製造装置の図面
【発明を実施するための形態】
【００１０】  以下、本発明の実施の形態を図１〜図３に基づいて説明する。図１は本発明の実施の形態にかかる殺菌水製造装置の構成を示す図である。図１において、実施の形態にかかる殺菌水製造装置２００は、原料水（２１ａ）の一部を流す第１の流路（２４）と、原料水（２１ａ）の他の一部を流す第２の流路（２５）と、前記第１の流路（２４）に配置された酸水溶液混入器（２６）と、前記第２の流路（２５）に配置された塩素系水溶液混入器（２７）と、これら酸水溶液混入器（２６）及び塩素系水溶液混入器（２７）の近傍にそれぞれ配置された酸水溶液容器（２２）及び塩素系水溶液容器（２３）と、混合器３０とを有する。
【００１１】  前記酸水溶液混入器（２６）は、前記第１の流路（２４）に流される水の流れを利用して生じさせた負圧によって前記酸水溶液容器（２２）に貯留されている酸水溶液（２２ａ）を吸い込んで前記水（２１ａ）に混入させるものである。前記塩素系水溶液混入器（２７）は、前記第２の流路（２５）に流される水の流れを利用して生じさせた負圧によって前記塩素系水溶液容器（２３）に貯留されている塩素系水溶液（２３ａ）を吸い込んで前記水（２１ａ）に混入させるものである。混合器（３０）は、前記第１の流路（２４）において前記酸水溶液混入器（２６）によって酸水溶液（２２ａ）が混入された酸水溶液混入済水溶液（２４ａ）と前記第２の流路（２５）において前記塩素系水溶液混入器（２７）によって塩素系水溶液（２３ａ）が混入された塩素系水溶液混入済水溶液（２５ａ）とを混合することによって、殺菌水（２１ｂ）にするものである。
【００１２】  図２は酸水溶液容器（２２）の構成を示す断面図であり、図３は図２の一部拡大図である。なお、塩素系水溶液容器（２３）は、酸水溶液容器（２２）と同じ構成を有するので併せて説明する。酸水溶液容器（２２）及び塩素系水溶液容器（２３）は、上部に蓋体（２１１）によって密閉される口部（２１２）を有するとともに、蓋体（２１１）を取り付ける容器取付部（２１３）を有し、蓋体（２１１）は、口部（２１２）に取り付ける蓋体取付部（２１４）を有するとともに、内部の水溶液を外部に取り出すための取出口（２１５）を備え、さらに、容器内部で前記取出口（２１５）にその後端部が接続され、かつその先端部が容器内部の底部まで延長された第１のサイフォン管（２１６）を備えている。
【００１３】  前記逆止弁（２１７）は、外部から空気を取り入れる空気取入口（２１８）と、前記空気取入口（２１８）から流入する空気は前記容器（２２）（２３）内に流通させるが前記容器（２２）（２３）内部からの水溶液が前記空気取入口（２１８）を通じて外部に逆流するのを阻止する。前記酸水溶液容器（２２）及び塩素系水溶液容器（２３）は、前記逆止弁（２１７）を通過してきた外部の空気を前記容器内に流入させる空気取入口（２１８）と、前記空気取入口（２１８）にその後端部が接続され、かつその先端部が容器内部の底部まで延長された第２のサイフォン管（２１９）を備えている。
【００１４】  上記の実施形態に係る殺菌水製造装置によれば、装置が横倒し又転倒しても有毒ガスが発生しない構造であり、小型で次亜塩素酸濃度の高い（２００ｇ／ｄｌ）安定したｐＨを保った殺菌水を生成する殺菌水製造装置を提供出来る。
【産業上の利用可能性】
【００１５】  本願発明は、食品素材製造・供給、医療・介護・福祉、スポーツ施設、動物病院その他の分野で利用可能である。
【符号の説明】
【００１６】  ２００    殺菌水製造装置
２１ａ    水（原水）
２１ｂ    殺菌水
２２      酸水溶液容器
２２ａ    酸水溶液
２２ｂ    蓋体
２２ｃ    逆止弁
２３      塩素系水溶液容器
２３ａ    塩素系水溶液
２３ｂ    蓋体
２３ｃ    逆止弁
２４      酸水溶液流路
２５      塩素系水溶液流路
２６      酸水溶液混入器
２７      塩素系水溶液混入器
２４ａ    酸水溶液混入済水溶液
２５ａ    塩素系水溶液混入済水溶液
３０      混合器
２１１    蓋体
２１２    口部
２１３    容器取付部
２１４    蓋体取付部
２１５    取出口
２１６    サイフォン管１
２１７    逆止弁
２１８    空気取入口
２１９    サイフォン管２
１００    従来の殺菌水製造装置
１        水（原水）
２        酸水溶液容器（タンク）
３        塩素系水溶液容器（タンク）
５        混合器
６        第１の流路
７        第２の流路
２１      酸水溶液
３１      塩素系水溶液
４１      酸水溶液混入器
４２      塩素系水溶液混入器
８        殺菌水タンク
８１      殺菌水
【図１】
2015009234.tif 000003
【図２】
2015009234.tif 000004
【図３】
2015009234.tif 000005
【図４】
2015009234.tif 000006